(57)【要約】【課題】加熱調理器の蓋体を閉じる際に指が挟まれてしまって当該指に大きな力が加わってしまうこと、を防止する。【解決手段】加熱調理器１００は、被調理物を加熱調理する調理手段を有する本体１と、本体１に接続された蓋体２と、指挟み防止体７と、を備える。蓋体２は、本体１の後部に位置するヒンジ部１ｂを支点にして開閉自在である。指挟み防止体７は、蓋体２が開いた状態において本体１と蓋体２との間に位置する。指挟み防止体７の少なくとも一部は、本体１の前後方向中心よりも後方で且つヒンジ部１ｂよりも前方に位置する。指挟み防止体７は、蓋体２が開いた状態において、本体１と蓋体２との間に側方から指が侵入することを当該指に当接することで防止する。【選択図】図２
2020188866.tif 000002
【特許請求の範囲】
【請求項１】
被調理物を加熱調理する調理手段を有する本体と、
前記本体に接続され、前記本体の後部に位置するヒンジ部を支点にして開閉自在な蓋体と、
前記蓋体が開いた状態において前記本体と前記蓋体との間に位置し、少なくとも一部が前記本体の前後方向中心よりも後方で且つ前記ヒンジ部よりも前方に位置する指挟み防止体と、
を備え、
前記指挟み防止体は、前記蓋体が開いた状態において、前記本体と前記蓋体との間に側方から指が侵入することを当該指に当接することで防止する加熱調理器。
【請求項２】
前記指挟み防止体の高さは、指の太さ以上である請求項１に記載の加熱調理器。
【請求項３】
前記指挟み防止体から前記本体の側面までの距離は、指の太さ以下である請求項１または請求項２に記載の加熱調理器。
【請求項４】
被調理物を加熱調理する調理手段を有する本体と、
前記本体に接続され、前記本体の後部に位置するヒンジ部を支点にして開閉自在な蓋体と、
前記蓋体が開いた状態において前記本体と前記蓋体との間に位置し、少なくとも一部が前記本体の前後方向中心よりも後方で且つ前記ヒンジ部よりも前方に位置する指挟み防止体と、
を備え、
前記指挟み防止体の高さは、５ｍｍ以上であり、
前記指挟み防止体から前記本体の側面までの距離は、１５ｍｍ以下である加熱調理器。
【請求項５】
前記指挟み防止体の高さは、２０ｍｍ以上である請求項４に記載の加熱調理器。
【請求項６】
前記指挟み防止体は、前記本体に設けられ、前記蓋体が開いた状態において上方に突出し、前記蓋体が閉じた状態において当該蓋体に収納される請求項１から請求項５の何れか１項に記載の加熱調理器。
【請求項７】
前記蓋体の底面には、前記指挟み防止体が挿入可能に形成された開口が形成され、
前記蓋体が開いた状態において、前記指挟み防止体は当該蓋体の底面から離れており且つ前記開口は閉塞している請求項６に記載の加熱調理器。
【請求項８】
前記指挟み防止体は、上方に向かって細くなる形状を呈している請求項６または請求項７に記載の加熱調理器。
【発明の詳細な説明】
【技術分野】
【０００１】
本発明は、加熱調理器に関するものである。
【背景技術】
【０００２】
特許文献１に、加熱調理器の一例として、食物を加熱調理する食物調理器が記載されている。この食物調理器は、載置体と、この載置体に対して開閉されるカバーと、よりなる。特許文献１に記載のカバーは、加熱調理器が備える開閉自在な蓋体の一例である。
【先行技術文献】
【特許文献】
【０００３】
【特許文献１】特開平９−２５２９５７号公報
【発明の概要】
【発明が解決しようとする課題】
【０００４】
特許文献１においては、使用者がカバーを閉じる際、載置体とカバーとの間に当該使用者の指が挟まれる場合がある。指が挟まれた場合、特に、カバーの根本に近づくほど、テコの原理によって指に大きな力が加わってしまうことになる。
【０００５】
本発明は、上記のような課題を解決するためになされたものである。本発明の目的は、加熱調理器の蓋体を閉じる際に指が挟まれてしまって当該指に大きな力が加わってしまうこと、を防止することである。
【課題を解決するための手段】
【０００６】
本発明に係る加熱調理器は、被調理物を加熱調理する調理手段を有する本体と、本体に接続された蓋体と、指挟み防止体と、を備える。蓋体は、本体の後部に位置するヒンジ部を支点にして開閉自在である。指挟み防止体は、蓋体が開いた状態において本体と蓋体との間に位置する。指挟み防止体の少なくとも一部は、本体の前後方向中心よりも後方で且つヒンジ部よりも前方に位置する。指挟み防止体は、蓋体が開いた状態において、本体と蓋体との間に側方から指が侵入することを当該指に当接することで防止する。
【発明の効果】
【０００７】
本発明によれば、加熱調理器の蓋体を閉じる際に指が挟まれてしまって当該指に大きな力が加わってしまうこと、を防止することができる。
【図面の簡単な説明】
【０００８】
【図１】実施の形態１の加熱調理器を模式的に示す斜視図である。
【図２】実施の形態１の加熱調理器が備える指挟み防止体を説明する模式図である。
【図３】実施の形態１の加熱調理器が備える指挟み防止体を説明する模式図である。
【図４】実施の形態１の加熱調理器の第１の変形例を説明する模式図である。
【図５】実施の形態１の加熱調理器の第２の変形例を説明する模式図である。
【図６】実施の形態１の加熱調理器の第３の変形例を説明する模式図である。
【発明を実施するための形態】
【０００９】
以下、添付の図面を参照して、本発明を実施するための形態について説明する。各図における同一の符号は、同一の部分または相当する部分を示す。また、本開示では、重複する説明については、適宜に簡略化する。なお、本発明は、その趣旨を逸脱しない範囲において、以下の実施の形態によって開示される構成のあらゆる変形およびあらゆる組み合わせを含み得るものである。
【００１０】
実施の形態１．
図１は、実施の形態１の加熱調理器１００を模式的に示す斜視図である。図１は、水平面に置かれた加熱調理器１００の外観を模式的に示している。本開示では、原則として、加熱調理器１００が水平面に置かれた状態を基準として、各方向を定義する。
【００１１】
加熱調理器１００は、本体１および蓋体２を備える。本体１には、加熱調理器１００によって加熱調理される被調理物が収容または載置される。蓋体２は、この本体１に接続される。蓋体２は、開閉自在である。
【００１２】
加熱調理器１００の本体は、被調理物を加熱調理する調理手段として、加熱調理部１ａを有している。加熱調理部１ａは、例えば、被調理物が収容される空間を区画する部材および被調理物を加熱するためのヒーター等によって構成される。なお、加熱調理器１００の本体が有する加熱調理部１ａは、被調理物を収容する容器を含んでいてもよい。また、被調理物を加熱するためのヒーター等の機器は、蓋体２に設けられていてもよい。
【００１３】
蓋体２は、本体１に設けられたヒンジ部１ｂを介して本体１に接続されている。ヒンジ部１ｂは、本体１の後部に位置する。ヒンジ部１ｂは、例えば、本体１の上面の後端部に設けられている。蓋体２は、このヒンジ部１ｂを支点にして開閉自在である。蓋体２は、ヒンジ部１ｂを中心とした円弧状の軌道に動くことで開閉する。
【００１４】
図１は、蓋体２が閉じた状態の加熱調理器１００の外観を示している。蓋体２が閉じた状態において、当該蓋体２は、被調理物が収容される空間を覆っている。
【００１５】
図１に示されるように、蓋体２には、例えば、使用者が当該蓋体２を開閉させるための把持部３が設けられていてもよい。使用者によって把持部３が動かされると、当該把持部３と共に蓋体２も動く。
【００１６】
把持部３には、ラッチ部４およびレバー５が設けられていてもよい。また、本体１には、ラッチ部４が係合可能なラッチ受け部６が設けられていてもよい。ラッチ部４は、蓋体２を閉じた状態で維持するための部材である。レバー５は、使用者がラッチ部４を動かすための部材である。ラッチ部４およびラッチ受け部６は、互いに噛み合う形状に形成される。図１において、ラッチ部４は、ラッチ受け部６に係合している。ラッチ部４がラッチ受け部６に係合することで、蓋体２は閉じた状態で維持される。
【００１７】
ラッチ部４は、レバー５が使用者に操作されることで動く。ラッチ部４とラッチ受け部６との係合は、レバー５が使用者によって操作されることで解除される。使用者は、ラッチ部４とラッチ受け部６との係合が解除された状態で蓋体２を持ち上げることで、当該蓋体２を開くことができる。また、蓋体２は、ラッチ部４とラッチ受け部６との係合が解除されると自動で一定の高さまで開くように構成されてもよい。本実施の形態のレバー５は、蓋体２を開くための操作部の一例である。
【００１８】
開いた状態の蓋体２が使用者の手によって押し下げられていくと、やがてラッチ部４の先端がラッチ受け部６に当接する。加熱調理器１００は、ラッチ部４の先端がラッチ受け部６に当接した状態で使用者の手が蓋体２から離れた場合にラッチ部４とラッチ受け部６とが自動的に係合しないように構成されているとよい。ラッチ部４は、当該ラッチ部４がラッチ受け部６に接触した状態で蓋体２が更に下方へ動かされることでラッチ受け部６に係合するように構成されるとよい。加熱調理器１００の蓋体２を閉じるための構造を上記のように構成することで、蓋体２と本体１とによって使用者の手が挟まれてしまう可能性が低くなる。
【００１９】
加熱調理器１００の左右方向寸法は、例えば、２０ｃｍから３０ｃｍの範囲内で設定される。本体１および蓋体２の左右方向寸法は、例えば、約２４ｃｍである。また、加熱調理器１００の前後方向寸法は、例えば、２０ｃｍから３０ｃｍの範囲内で設定される。本体１および蓋体２の前後方向寸法は、例えば、約２２ｃｍである。
【００２０】
蓋体２の高さ寸法、すなわち蓋体２の厚みは、例えば、５ｃｍから１０ｃｍの範囲内で設定される。蓋体２の厚みは、例えば、約６ｃｍである。また、本体１の高さ寸法は、例えば、５ｃｍから１０ｃｍの範囲内で設定される。本体１の高さ寸法は、例えば、約６ｃｍである。また、本体１の底面には、例えば、高さが１ｃｍ程度の脚部が設けられていてもよい。
【００２１】
次に、本実施の形態に係る加熱調理器１００の特徴的な構成について、図面を更に参照して説明する。図２および図３は、実施の形態１の加熱調理器１００が備える指挟み防止体７を説明する模式図である。本実施の形態に係る加熱調理器１００は、指挟み防止体７を備えることを特徴としている。
【００２２】
図２は、蓋体２が開いた状態の加熱調理器１００を側方から見た図である。また、図３は、蓋体２が閉じた状態の加熱調理器１００を前方から見た透視図である。なお、図２および図３においては、把持部３、ラッチ部４、レバー５およびラッチ受け部６等の図示を省略している。
【００２３】
図２および図３に示される実施例において、指挟み防止体７は、本体１の上面に設けられている。本体１に設けられた指挟み防止体７は、蓋体２が開いた状態において、上方に突出している。
【００２４】
指挟み防止体７は、本体１と蓋体２とに指が挟まることを防止するための部材である。図２に示されるように、指挟み防止体７は、蓋体２が開いた状態において本体１と蓋体２との間に位置する。指挟み防止体７は、蓋体２が開いた状態において、本体１と蓋体２との間に側方から指が侵入することを当該指に当接することで防止する。本体１と蓋体２との間への指の侵入が防止されることで、当該指が本体１と蓋体２とに挟まれることがない。
【００２５】
指挟み防止体７は、特に、蓋体２の根本付近で指が挟まれてしまうことを防止する。蓋体２の根本とは、蓋体２が開閉する支点を意味する。すなわち、ヒンジ部１ｂの付近で指が挟まれてしまうことを防止する。これにより、加熱調理器１００の蓋体２を閉じる際に指が挟まれてしまって当該指に大きな力が加わってしまうこと、が防止される。
【００２６】
指挟み防止体７は、少なくとも一部がヒンジ部１ｂの近傍に位置するように配置される。指挟み防止体７の少なくとも一部は、本体１の前後方向中心よりも後方で且つヒンジ部１ｂよりも前方に位置する。このように配置された指挟み防止体７によれば、ヒンジ部１ｂの付近で指が挟まれてしまうことを効果的に防止することができる。
【００２７】
例えば、指挟み防止体７は、図２に示されるように、全体が本体１の前後方向中心よりも後方で且つヒンジ部１ｂよりも前方に位置する。図２に示される実施例において、指挟み防止体７の前後方向中心は、本体１の前後方向中心よりもヒンジ部１ｂに近い。また、図２に示される実施例において、指挟み防止体７の前端は、本体１の前端よりもヒンジ部１ｂに近い。図２に示される実施例において、指挟み防止体７の後端は、本体１の前後方向中心よりもヒンジ部１ｂに近い。
【００２８】
一例として、指挟み防止体７は、板状の部材として形成される。板状の指挟み防止体７の厚みは、例えば、１ｍｍから５ｍｍの範囲内で設定される。この「厚み」とは、左右方向寸法を意味する。
【００２９】
指挟み防止体７の高さは、使用者の指の太さ以上であると、特によい。指の太さ以上の高さを有する指挟み防止体７であれば、より確実に指の侵入を妨げることができる。図２に示されるように、指挟み防止体７の高さは、一例として、２０ｍｍ以上である。また、蓋体２が開いた状態の加熱調理器１００を側方から見た場合、一例として、２０ｍｍ以上の指挟み防止体７と蓋体２とは重なり合っている。
【００３０】
図３に示されるように、指挟み防止体７は、本体１の側方端部の近傍に設けられていることが望ましい。指挟み防止体７から本体１の側面までの距離は、使用者の指の太さ以下であると、特によい。指挟み防止体７から本体１の側面までの距離は、例えば１５ｍｍ以下である。指挟み防止体７から本体１の側面までの距離が１５ｍｍ以下となることで、例えば、本体１の上面の右辺または左辺に沿えられた指の全体が本体１と蓋体２との間に侵入することがない。また、指挟み防止体７から本体１の側面までの距離は、例えば、５ｍｍ以下であってもよい。本体１の側方端部のより近傍に設けられた指挟み防止体７であれば、より確実に指の侵入を妨げることができる。
【００３１】
図３に示されるように、本実施の形態に係る指挟み防止体７は、蓋体２が閉じた状態において、当該蓋体２に収納される。蓋体２には、指挟み防止体７が収納される収納空間２ａが形成されている。蓋体２の底面には、指挟み防止体７が挿入可能に形成された開口が形成されている。この開口は、収納空間２ａに通じている。指挟み防止体７は、上記の開口に挿入されることで、収納空間２ａに収納される。
【００３２】
蓋体２が閉じた状態において、収納空間２ａに収納された指挟み防止体７は、外部からは見えなくなっている。これにより、意匠性に優れた加熱調理器１００が得られる。また、指挟み防止体７を収納するための開口が本体１に設けられることがないため、上方から本体１に設けられた当該開口へごみが入ることもない。本実施の形態によれば、使い勝手および清掃性が良好な加熱調理器１００が得られる。
【００３３】
図２に示されるように、指挟み防止体７は、上方に向かって細くなる形状を呈しているとよい。例えば、側面視における指挟み防止体７の形状は、台形状である。側面視における指挟み防止体７の形状は、三角形状または丸みを帯びたその他の形状であってもよい。なお、前方から見た指挟み防止体７も、上方に向かって細くなる形状を呈していてもよい。上方に向かって細くなる形状を呈している指挟み防止体７であれば、蓋体２が閉じられた際にスムーズに蓋体２に収納される。
【００３４】
なお、指挟み防止体７の寸法、形状および配置等は、上記した実施例に限定されるものではない。指挟み防止体７は、本体１と蓋体２との間に側方から指が侵入することを当該指に当接することで防止することができる部材として構成されていればよい。
【００３５】
例えば、指挟み防止体７の高さは、指の太さを下回っていてもよい。指挟み防止体７の高さは、指の太さの半分程度であってもよい。指挟み防止体７の高さは、１０ｍｍ程度または５ｍｍ程度であってもよい。指挟み防止体７の高さは、５ｍｍ未満であってもよい。
【００３６】
指挟み防止体７の高さは、特に、５ｍｍ以上であることが望ましい。加熱調理器１００の使用者は、指を本体１の上面の上でスライドさせる場合がある。加熱調理器１００の使用者は、指を本体１の上面の右辺または左辺に沿えて当該本体１を押さえる場合がある。上記のような場合において、５ｍｍ以上の高さを有する指挟み防止体７は、使用者の指に乗り越えられにくい。５ｍｍ以上の高さを有する指挟み防止体７であれば、本体１と蓋体２との間に側方から指が侵入することを効果的に防止することができる。
【００３７】
また、５ｍｍ以上の高さを有する指挟み防止体７であれば、当該指挟み防止体７に指が当たっていることを使用者により確実に認識させることができる。指挟み防止体７に指が当たっている状態とは、本体１と蓋体２とに挟まれる可能性がある位置に指がある状態である。５ｍｍ以上の高さを有する指挟み防止体７であれば、本体１と蓋体２とに挟まれる可能性を低減することができる。
【００３８】
指挟み防止体７は、蓋体２の底面に設けられていてもよい。蓋体２の底面に設けられた指挟み防止体７は、本体１に向かって突出する。蓋体２の底面に設けられた指挟み防止体７は、例えば、蓋体２が閉じた状態において本体１に収納される。また、蓋体２の底面に設けられた指挟み防止体７は、本体１に向かって細くなる形状を呈していてもよい。
【００３９】
指挟み防止体７は、蓋体２が閉じられると倒れるように構成されていてもよい。指挟み防止体７は、蓋体２が閉じられると折り畳まれるように構成されていてもよい。指挟み防止体７は、蓋体２が開いた状態において本体１と蓋体２との間に位置するように構成されていればよい。
【００４０】
また、指挟み防止体７は、本体１の側面に設けられていてもよい。指挟み防止体７は、蓋体２の側面に設けられていてもよい。指挟み防止体７は、蓋体２が閉じた状態において、当該蓋体２の側方外方に位置していてもよい。指挟み防止体７は、蓋体２が閉じた状態において、本体１の側方外方に位置していてもよい。指挟み防止体７は、蓋体２が閉じた状態において外部から見えていてもよい。
【００４１】
また、指挟み防止体７の後端は、ヒンジ部１ｂよりも前方に位置していてもよい。指挟み防止体７は、少なくとも一部が本体１の前後方向中心よりも後方で且つヒンジ部１ｂよりも前方に位置するように構成されていればよい。
【００４２】
また、図４は、実施の形態１の加熱調理器１００の第１の変形例を説明する模式図である。蓋体２は、一定以上開かないように構成されていてもよい。例えば、図４に示されるように、完全に開いた状態の蓋体２の底面から本体１の前後方向中心までの高さ方向距離は、２０ｍｍ程度に設定される。開いた状態の蓋体２の底面から本体１の前後方向中心までの高さ方向距離は、２０ｍｍ未満に制限されてもよい。これにより、ヒンジ部１ｂの近傍において、蓋体２と本体１との間の空間の高さ方向寸法は２０ｍｍ未満に制限される。本変形例によれば、ヒンジ部１ｂの近傍において、蓋体２と本体１との間に指が侵入することがより確実に防止される。
【００４３】
上記したように、蓋体２は、レバー５によってラッチ部４とラッチ受け部６との係合が解除されると自動で一定の高さまで開くように構成されてもよい。この場合、蓋体２は、例えば、蓋体２の底面から本体１の前後方向中心までの高さ方向距離が２０ｍｍとなるまで自動で開いてもよい。自動で開いた蓋体２の底面から本体１の前後方向中心までの高さ方向距離は、２０ｍｍでもよい。この場合にも、上記した変形例と同様に、ヒンジ部１ｂの近傍において、蓋体２と本体１との間に指が侵入することがより確実に防止される。
【００４４】
また、図５は、実施の形態１の加熱調理器１００の第２の変形例を説明する模式図である。図５に示される変形例において、開いた状態の蓋体２の底面から本体１の前後方向中心までの高さ方向距離は、図４に示される変形例と同様に、２０ｍｍ以下に制限されている。図５に示される変形例において、指挟み防止体７の高さは２０ｍｍ以上である。そして指挟み防止体７の前端は、本体１の前後方向中心よりも前方に位置する。図５に示される変形例によれば、本体１の前後方向中心近傍において蓋体２と本体１との間に指が侵入することが防止される。
【００４５】
図６は、実施の形態１の加熱調理器１００の第３の変形例を説明する模式図である。図６に示されるように、蓋体２は、当該蓋体２の底面が指挟み防止体７から離れるまで開くことができるように構成されてもよい。
【００４６】
図６に示される変形例において、蓋体２には、収納空間２ａに通じる開口を閉塞することができるシャッター機構２ｂが備えられている。図６に示される状態において、収納空間２ａに通じる開口、すなわち蓋体２の底面に形成された開口は、シャッター機構２ｂによって閉塞している。これにより、収納空間２ａへのごみおよび蒸気等に侵入が抑制される。また、蓋体２が完全に開いた状態において収納空間２ａに通じる開口が閉じられることで、蓋体２が完全に開いた状態における加熱調理器１００の意匠性が向上する。
【００４７】
以上に示した実施の形態およびその変形例によれば、加熱調理器１００の蓋体２を閉じる際に指が挟まれてしまって当該指に大きな力が加わってしまうことを防止することができる。なお、本開示に係る加熱調理器１００には、被調理物の加熱調理を行う各種の調理機器が該当する。加熱調理器１００は、例えば、炊飯器、ホットプレート、トースター、グリル、ホットサンドメーカー等である。加熱調理器１００は、上記した把持部３を備えていなくてもよい。また、加熱調理器１００は、蓋体２の側面側に位置する把持部３を備えていてもよい。把持部２は、蓋体２の左右両側面にそれぞれ設けられていてもよい。また、加熱調理器１００は、ラッチ部４、レバー５およびラッチ受け部６を備えていなくてもよい。
【符号の説明】
【００４８】
１  本体、  １ａ  加熱調理部、  １ｂ  ヒンジ部、  ２  蓋体、  ２ａ  収納空間、  ２ｂ  シャッター機構、  ３  把持部、  ４  ラッチ部、  ５  レバー、  ６  ラッチ受け部、  ７  指挟み防止体、  １００  加熱調理器
【図１】
2020188866.tif 000003
【図２】
2020188866.tif 000004
【図３】
2020188866.tif 000005
【図４】
2020188866.tif 000006
【図５】
2020188866.tif 000007
【図６】
2020188866.tif 000008